(57)【特許請求の範囲】
【請求項１】
エラストマースリーブと剛性外側部分とを有する受取部を含む本体と、
外面を有する剛性ノズル要素と、を含み、
前記受取部は前記本体の開口を画定し、前記剛性外側部分は前記開口に最も近接しており、前記剛性外側部分が前記開口と前記エラストマースリーブとの間に位置するように、前記エラストマースリーブは前記剛性外側部分に近接しており、
前記エラストマースリーブの内面と前記剛性外側部分の内面とはそれぞれ前記開口から延びる経路を画定し、前記エラストマースリーブは、前記ノズル要素が前記経路内に挿入されると前記ノズル要素の前記外面の周りで変形するように構成されている、人工呼吸器装置。
【請求項２】
前記エラストマースリーブは第１の端部部分及び第２の端部部分を有し、前記本体は、
前記本体の内部空間の第１のチャンバと第２のチャンバとを分ける内壁を含み、前記エラ
ストマースリーブの前記第１の端部部分は前記内壁と接触する、請求項１に記載の人工呼
吸器装置。
【請求項３】
前記エラストマースリーブは熱硬化性材料で作製されている、請求項１に記載の人工呼
吸器装置。
【請求項４】
前記剛性ノズル要素の外面は、剛性ノズル要素が前記経路に挿入された際に前記剛性ノズル要素と前記剛性外側部分との間での回転を防止する非円形状である、請求項１〜３の何れか一項記載の人口呼吸装置。
【請求項５】
剛性外側部分を有するフィルタカートリッジ受取部と、経路を画定する内面及び外面を有するエラストマースリーブと、を含む本体と、
外面を有する剛性ノズル要素を含むフィルタカートリッジと、を含み、
前記フィルタカートリッジ受取部は前記本体の開口を画定し、前記剛性外側部分は前記開口に最も近接しており、前記剛性外側部分が前記開口と前記エラストマースリーブとの間に位置するように、前記エラストマースリーブは前記剛性外側部分に近接しており、
前記エラストマースリーブの内面と前記剛性外側部分の内面とはそれぞれ前記開口から延びる経路を画定し、
前記エラストマースリーブの前記外面の少なくとも一部は剛性部品と接触せず、前記エ
ラストマースリーブは、前記ノズル要素が前記経路内に挿入されると前記ノズル要素の前
記外面の周りで広がるように構成されている、人工呼吸器装置。
【請求項６】
前記剛性ノズル要素の外面は、剛性ノズル要素が前記経路に挿入された際に前記剛性ノズル要素と前記剛性外側部分との間での回転を防止する非円形状である、請求項５に記載の人口呼吸装置。
【発明の詳細な説明】
【技術分野】
【０００１】
本開示は、人工呼吸器装置に関し、詳細には、ノズル要素の周りで変形するように構成されたエラストマースリーブを有する受取部を含む人工呼吸器装置に関する。
【背景技術】
【０００２】
呼吸保護装置は通常、マスク本体と、マスク本体に取り付けられた１つ又は複数のフィルタカートリッジと、を含む。マスク本体は人の顔面の鼻及び口を覆って装着され、頭部、頸部、又は場合によっては他の身体部分を覆う部分を含み得る。清浄な空気が、フィルタカートリッジ内に配置された濾材を通過した後に、装着者に利用可能になる。負圧呼吸保護装置では、吸入中に装着者が生成する負圧によって、空気がフィルタカートリッジを通して引き出される。動力付き空気装置では、ファン又は他の動力装置が、ユーザへの空気送達を助ける場合がある。外部環境からの空気が濾材を通ってマスク本体の内部空間に入り、そこで装着者によって吸入されることができる。
【０００３】
フィルタカートリッジ又は要素を人工呼吸器に取り付けるために様々な技術が用いられている。フィルタカートリッジは通常、例えばネジ付き嵌合、バイオネット嵌合、又は他の嵌合を介して、マスク本体の吸気ポートに接続されている。デュアルカートリッジ呼吸保護装置（２つのカートリッジが設けられて装着者に対する空気を濾過する）の場合、フィルタカートリッジは、マスクの各頬部分に近接して位置する空気吸入口（マスクの中央部分から離れている）に接続されていることが多く、カートリッジが装着者の頭部の側面で外側に延在するようになっている。吸入用逆止め弁が通常、各空気吸入口に対して設けられており、空気がフィルタカートリッジから呼吸ゾーン内に、例えば、中央部分から離れている空気吸入口（マスク本体の各頬部分に近接している）を通って送出され得るようになっている。
【発明の概要】
【課題を解決するための手段】
【０００４】
本開示によって、エラストマースリーブを含む受取部を有する本体と、外面を有する剛性ノズル要素と、を含む装置が提供される。エラストマースリーブは経路を画定し、エラストマースリーブはノズル要素が経路内に挿入されるとノズル要素の外面の周りで変形するように構成されている。
【０００５】
本開示によって、本体とフィルタカートリッジとを含む人工呼吸器装置が更に提供される。本体は、フィルタカートリッジ受取部と、外面及び経路を画定する内面を有するエラストマースリーブと、を含む。フィルタカートリッジは、外面を有する剛性ノズル要素を含む。エラストマースリーブの外面の少なくとも一部は剛性部品と接触せず、エラストマースリーブは、ノズル要素が経路内に挿入されるとノズル要素の外面の周りで広がるように構成されている。
【０００６】
上記概要は、開示された各実施形態又はすべての具体化を説明することは意図されていない。以下の図面及び発明を実施するための形態によって、例示的な実施形態をより具体的に例証する。
【図面の簡単な説明】
【０００７】
添付の図を参照して開示内容を更に説明することができ、添付図では複数の図の全体を通して同様の構造を同様の数字によって参照している。
【図１】本開示による典型的な人工呼吸器装置の斜視図である。
【図２】本開示による典型的な人工呼吸器カートリッジの斜視図である。
【図３】本開示による典型的な受取部の部分図である。
【図４】本開示による典型的な受取部の部分図である。
【図５】本開示による典型的なノズル及び受取部の部分断面図である。
【図６】本開示による典型的なノズル及び受取部の部分断面図である。
【０００８】
前述した図では、開示した主題の種々の実施形態について記載しているが、他の実施形態も考えられる。すべての場合において、本開示では、開示した主題を、限定としてではなく代表として示している。当然のことながら、当業者であれば、本開示の原理の範囲及び趣旨に入る他の多くの変更及び実施形態を考案することができる。
【発明を実施するための形態】
【０００９】
本開示によって、受取部を含む本体と剛性ノズル要素とを含む人工呼吸器装置が提供される。受取部は、経路を画定するエラストマースリーブを含む。ノズル要素がエラストマースリーブの経路内に挿入されると、エラストマースリーブは、ノズル要素の外面の周りで変形してノズルの周りにシールを形成する。こうして、例えばフィルタカートリッジが本体に容易に結合される一方で、不要な汚染物質及び破片の侵入を防止する堅固なシールを提供することができる。
【００１０】
図１は、嵌合解除されたフィルタカートリッジ１２０を含む典型的な人工呼吸器装置１００の斜視図である。典型的な人工呼吸器装置１００はハーフマスク人工呼吸器であり得、これはユーザによって装着されて、鼻及び口を覆い内部空隙を画定し得る。人工呼吸器装置１００は、本体１１０（例えばマスク本体）を含み、１つ又は複数のフィルタカートリッジ１２０が本体１１０の対向する面上に配置されている。本体１１０は、例えば本体１１０の対向する面上に１つ又は複数の受取部１４０を含んでおり、これらはフィルタカートリッジ１２０の一部を受け取るように構成されている。本体１１０とフィルタカートリッジ１２０とは流体的に結合されて、受取部１４０がフィルタカートリッジ１２０と協同してフィルタカートリッジ１２０と本体１１０との間に空気流経路を形成するようになっていてもよい。他の典型的な実施形態では、本体１１０は動力付き空気人工呼吸器装置（例えば、動力付き空気浄化人工呼吸器、又は頭部装着型人工呼吸器装置本体）のハウジング若しくは部品であり得、及び／又は受取部はホース若しくは他の空気送出部品に流体的に結合されていてもよい。
【００１１】
本体１１０は、１つ又は複数の剛体部分１１１とエラストマー顔面接触部分１１２とを含むことができる。呼気弁１１３を本体１１０上に配置して、呼気を内部空隙からパージできるようにしてもよい。人工呼吸器装置１００はまた、ユーザの頭部上で本体１１０を支持することができるハーネスアセンブリ（図示せず）を含んでもよい。
【００１２】
１つ又は複数のラッチ、ネジ山、コネクタ、又は当該技術分野で知られる他の好適な相補的特徴部によって、フィルタカートリッジ１２０を本体１１０及び／又は受取部１４０に固定することができる。典型的な実施形態では、人工呼吸器装置１００は、フィルタカートリッジ１２０及び／又はノズル要素１３０を受取部１４０に固定するカンチレバーラッチ１５０を含む。図１〜５の実施形態では、カンチレバーラッチ１５０は、フィルタカートリッジ１２０と一体であり、ノズル要素１３０と実質的に平行か同一に広がっている。受取部１４０又は本体１１０は、開口部１１４及び／又は合わせ面１１５を含み、これらはカンチレバーラッチ１５０と協同して、本体１１０とフィルタカートリッジ１２０との間の確実な機械的接続を実現する。
【００１３】
カンチレバーラッチ１５０は、本体１１０との嵌合を容易にする１つ又は複数の特徴部を含む。典型的な実施形態では、カンチレバーラッチ１５０は、カンチレバーラッチ１５０の長さ（又はいくつかの実施形態では遠位端）に沿って位置する固定用突出物１５１及びプッシュボタン１５２を含む。固定用突出物１５１は、合わせ面１１５と協同してフィルタカートリッジ１２０を本体１１０に固定するのを助けるように構成してもよい。プッシュボタン１５２は、フィルタカートリッジ１２０を本体１１０から取り外すように構成されている。ユーザは、力又は圧力をプッシュボタン１５２に加えて、カンチレバーラッチ１５０を偏向させ、固定用突出物１５１を合わせ面１１５から取り外すことができる。次いで、フィルタカートリッジ１２０を受取部１４０から嵌合解除又は取り外すことができる。
【００１４】
図２に示すのは、典型的なフィルタカートリッジ１２０である。フィルタカートリッジ１２０は、例えば、周囲空気が本体１１０とユーザの顔面との間の内部空隙内に進む前に、周囲空気を濾過する。典型的な実施形態では、フィルタカートリッジ１２０は、第１及び第２の主表面１２１、１２２と、第１及び第２の主表面１２１、１２２間を少なくとも部分的に延びる側壁１２３と、を有する本体部分１２４を含む。第１及び第２の主表面１２１、１２２並びに／又は側壁１２３のうちの１つ又は複数は、流体透過性で、空気がフィルタカートリッジ１２０に入ることができる。いくつかの典型的な実施形態では、フィルタカートリッジ１２０は、外部ハウジングなしに、又はハウジングによって部分的に囲まれて、主に濾材を含み得る。
【００１５】
ノズル要素１３０は、フィルタカートリッジ１２０の本体部分１２４から延びている。典型的な実施形態では、ノズル要素１３０は本体部分１２４と一体であり、側壁１２３から延びている。いくつかの典型的な実施形態では、ノズル要素１３０は、本体部分１２４に取り外し可能に又は取り外し不可能に結合し得る別個の部品である。種々の典型的な実施形態では、ノズル要素１３０は第１又は第２の主表面１２１、１２２から延び得る。
【００１６】
典型的な実施形態では、ノズル要素１３０は、先端１３１、ベース端１３２、外面１３３、及び外面１３３と反対側の内面１３４を含む。内面１３４によって空気流経路１３５が画定されている。ベース端１３２と先端１３１との間の任意の特定の場所において、外面１３３は、周縁部（Ｐ）に囲まれた断面積（Ａ）を有する。いくつかの典型的な実施形態では、ノズル要素１３０の形状はベース端１３２と先端１３１との間で変化せず、周縁部（Ｐ）及び断面積（Ａ）がノズル要素１３０の長さにわたって実質的に均一となっている。代替的に、ノズル要素１３０の形状は、例えば、先端１３１が示す周縁部（Ｐ）及び／又は断面積（Ａ）が、ベース端１３２により近い場所と比べて小さくなるように変化してもよい。ノズル要素１３０の先端１３１がわずかに小さいと、ノズル要素を受取部１４０内に挿入することが容易になり得る。これについては本明細書で説明する。
【００１７】
図３及び４に示すのは、剛性外側部分１４１とエラストマースリーブ１７０とを含む典型的な受取部１４０である。受取部１４０はフィルタカートリッジ１２０と嵌合するように構成されており、ノズル要素１３０が、剛性外側部分１４１とエラストマースリーブ１７０とによって画定される経路１４７内に滑動できるようになっている。典型的な実施形態では、剛性外側部分１４１によって、本体１１０とフィルタカートリッジ１２０との間に一次構造支持及び安定性を得ることができ、エラストマースリーブ１７０によってノズル要素１３０の周りにシールがもたらされて、外部環境から不要な汚染物質又は破片が侵入することが防止される。
【００１８】
エラストマースリーブ１７０は、第１の端部部分１７１、第２の端部部分１７２、外面１７３、及び部分的に経路１４７を画定する内面１７４、並びに第１の端部部分１７１と第２の端部部分１７２との間の経路１４７の方向に長手方向長さ（ｌ）（図５）を含む。長さ（ｌ）に沿った任意の特定の場所において、内面１７４によって経路１４７の断面積（ａ）が画定され、外面１７３によって外周縁部（ｐ）が画定される。いくつかの典型的な実施形態では、エラストマースリーブ１７０の形状は長さ（ｌ）にわたって変化せず、周縁部（ｐ）及び／又は断面積（ａ）が任意の特定の場所において実質的に均一となっている。代替的に、エラストマースリーブ１７０の形状は長さ（ｌ）にわたって変化して、例えば、第１の端部部分が示す周縁部（ｐ）及び／又は断面積（ａ）が、第２の端部部分１７２により近い場所と比べて小さくなっていてもよい。典型的な実施形態では、ノズル要素１３０はエラストマースリーブ１７０よりも相対的に大きく、ノズル要素１３０がエラストマースリーブ１７０内に挿入されると妨害が生じるようになっている。エラストマースリーブ１７０の先端１３１がわずかに小さいと、例えば、内面１７４とノズル要素１３０との間のシールを容易にすることができる。これについては本明細書で更に説明する。
【００１９】
エラストマースリーブ１７０の少なくとも一部は浮遊しているか、そうでなければ外向きの弾性変形又は広がりを抑制する剛性部品と直接接触していない。例えば、外面１７３の少なくとも一部は、外向きの弾性変形又は広がりを抑制する剛性部品と直接接触していない。典型的な実施形態では、第１の端部部分１７１は浮遊端部であり、本体１１０の剛性部品と嵌合していない。エラストマースリーブ１７０は、外向きの弾性変形又は広がりを抑制し得る性部品によって裏打ちされていない中間部分１７７を更に含む。エラストマースリーブの少なくとも一部が剛性部品によって裏打ちされていないことで、エラストマースリーブは湾曲及び／又は関節運動することができる。そのため、エラストマースリーブ１７０はノズル要素１３０の動きを追跡又は追従することができ、本体１１０とフィルタカートリッジ１２０との間で相対運動が可能であるにもかかわらず、堅固なシールが維持され得る。
【００２０】
典型的な実施形態では、エラストマースリーブ１７０は、壁厚が変化する部分を含み、及び／又はエラストマースリーブ１７０が１つ又は複数のリブ１７５を含むような輪郭形状を有する部分を含む。リブ１７５を、ノズル要素１３０の外面１３３と接触するように構成された内面１７４の位置に配置してもよい。リブ１７５によって外面１３３との連続接触が容易になって、望ましいシールを得ることができる。典型的な実施形態では、ノズル要素１３０とエラストマースリーブ１７０との間の最大の妨害はリブ１７５の場所に集中し得る。妨害領域を限定することによって、一貫したシールを確実にしながらフィルタカートリッジ１２０を本体１１０と嵌合するためにユーザが出さなければならない力を低減することができる。
【００２１】
図５に示すのは典型的なノズル要素１３０であり、受取部１４０と嵌合して、ノズル要素１３０が、受取部１４０によって画定される経路内に配置されるようになっている。エラストマースリーブ１７０は、フィルタカートリッジ１２０が受取部１４０内に挿入されたときに、ノズル要素１３０の外面１３３に合致することができる。典型的な実施形態では、相対的に大きいノズル要素１３０を相対的に小さいエラストマースリーブ１７０内に挿入すると、例えばノズル要素１３０の外面１３３の周りで広がることなどにより、エラストマースリーブ１７０が変形する。典型的な実施形態では、エラストマースリーブが広がって、外面１７３の周縁部（ｐ）（図４）及び／又は内面１７４によって画定される断面積（ａ）が、ノズル要素１３０がエラストマースリーブ１７０内に配置されたときに、ノズル要素１３０がエラストマースリーブ１７０内に配置されていないときと比べて大きくなる。
【００２２】
エラストマースリーブ１７０の弾性変形又は広がりがノズル要素１３０の周りで生じると、エラストマースリーブをその中立状態に復元するように作用する復元力が発生する。このような力によって、エラストマースリーブ１７０はノズル要素１３０の外面１３３の周りで固定され、エラストマースリーブ１７０と外面１３３との間の連続接触が促進される。
【００２３】
典型的な実施形態では、エラストマースリーブ１７０の弾性変形又は広がりが、エラストマースリーブ１７０の少なくとも一部が本体１１０の剛性部品と接触していない構成で生じると、エラストマースリーブ１７０の周りに応力が発生するが、これは圧縮が、例えば、エラストマースリーブがノズル要素１３０と本体１１０の剛性部品との間で圧縮された場合に生じ得るのとは対照的である。典型的な実施形態では、エラストマースリーブ１７０は、ノズル要素１３０が受取部１４０と嵌合したときにフープ応力を示す。いくつかの典型的な実施形態では、エラストマースリーブ１７０の一部が、空気流軸（ｘ）及びエラストマースリーブ１７０の径方向の厚さ（ｙ）の両方に垂直な方向（ｚ）に応力を受けると説明することができる。
【００２４】
エラストマースリーブ１７０は、フィルタカートリッジ１２０が本体１１０と嵌合されると、受取部１４０の特徴部と直接又は間接的にシール状態で嵌合される。典型的な実施形態では、エラストマースリーブは、受取部１４０の内面又はフランジ１４４と接触するシール面１７６を含む。その代わりに又はそれに加えて、１つ又は複数のコネクタ１４５によって受取部１４０とエラストマースリーブとがシール状態で結合され得る。典型的な実施形態では、シール面１７６及びコネクタ１４５がフランジ１４４に隣接して配置されて、ノズル要素１３０を経路１４７内に挿入することによってシール嵌合が促進される。典型的な実施形態では、エラストマースリーブ１７０及び／又はコネクタ１４５は本体１１０に取り外し不可能に結合している。他の典型的な実施形態では、エラストマースリーブ１７０及び／又はコネクタ１４５は、取り外して交換することができる。
【００２５】
エラストマースリーブ１７０は、フィルタカートリッジの周りで繰り返し弾力的に変形し得る任意の好適な材料で作製されてもよい。典型的な実施形態では、エラストマースリーブ１７０は、熱硬化性シリコーン材料、例えばＥＬＡＳＴＯＳＩＬ  ３００３／６０Ａ（Ｗａｃｋｅｒ  Ｃｈｅｍｉｃａｌ  Ｃｏｒｐ．，Ａｄｒｉａｎ，ＭＩから入手可能）で作製されている。他の好適な材料としては、熱可塑性硬質ゴム（ＴＰＶ）、熱可塑性エラストマー（ＴＰＥ）、成形可能なゴム、ウレタン、成形可能なエラストマー、それらの組み合わせ、及び当該技術分野で知られるその他の好適な材料が挙げられる。
【００２６】
エラストマースリーブの長さは、一貫したシールをノズル要素１３０の周りに可能にする一方で、適切な寸法許容差及びフィルタカートリッジ１２０と本体１１０との間の相対運動を可能にするのに十分である。典型的な実施形態では、エラストマースリーブ１７０の、経路１４７の長手方向における長さ（ｌ）は、エラストマースリーブ１７０の壁厚（ｔ）よりも著しく大きい。種々の典型的な実施形態では、エラストマースリーブ１７０の長さ（ｌ）は６ｍｍ〜１４ｍｍ、８ｍｍ〜１２ｍｍ、又は約１０ｍｍであり、壁厚（ｔ）は０．５ｍｍ〜２ｍｍ、０．７５ｍｍ〜１．５ｍｍ、又は約１．０ｍｍである。いくつかの典型的な実施形態では、壁厚（ｔ）は長さ（ｌ）にわたって実質的に均一であり、他の典型的な実施形態では、壁厚（ｔ）は長さ（ｌ）にわたって変化する。
【００２７】
ノズル要素１３０及び受取部１４０の形状、位置決め、及び構成は、フィルタカートリッジ１２０が装着者の顔面又は頭部の近くにあること及び本体１１０に対して動きをほとんど又は全く示さないことが可能となるように選択することができる。典型的な実施形態では、ノズル要素１３０の外面１３３及び受取部１４０の剛性外側部分は、部品間の回転を防止する非円形状を示してもよい。種々の実施形態では、ノズル要素１３０は、細長い長円形、楕円形、不規則な形、円形、又はその他の好適な形状を示す。細長い長円形は、例えば回転を防止し、ノズル要素１３０の周りでエラストマースリーブ１７０が広がることを容易にして、連続シールがもたらされる。ノズル要素１３０は、受取部１４０内に十分な距離だけ延びる。ノズル要素１３０及び受取部１４０の相補的形状によって、安定した接続が得られ、不注意な嵌合解除が防止される。ノズル要素１３０と受取部１４０との間の嵌合が十分であれば、相対運動が最小になり、フィルタカートリッジ１２０と本体１１０との間の堅固な接続が認められる。
【００２８】
フィルタカートリッジ１２０及び受取部１４０は、嵌合したときにフィルタカートリッジ１２０と受取部１４０との間の相対運動を最小にする更なる特徴部を提供してもよい。フィルタカートリッジ１２０及び受取部１４０は、協同してノズル要素１３０及び受取部１４０を位置合わせする１つ又は複数の位置合わせ特徴部、例えば突出部、経路、又は当該技術分野で知られるその他の好適な位置合わせ特徴部を含んでもよい。典型的な実施形態では、例えば、突出物の形態の第１の位置合わせ特徴部１３８及び経路の形態の第２の位置合わせ特徴部１４８、スロット、又は溝が、ノズル要素１３０と受取部１４０との嵌合中に協同する。第１及び第２の位置合わせ特徴部１３８、１３９は、挿入中にノズル要素１３０と受取部１４０とを位置合わせすること、及び嵌合したときの相対運動を防止するために部品を固定することを助けることができる。
【００２９】
ノズル要素１３０は、外面１３３から外側に延びる１つ又は複数のリブ１３７を含んでもよい。典型的な実施形態では、リブ１３７の寸法は、受取部１４０の剛性外側部分１４１と協同してノズル要素と受取部１４０との間をぴったり合わせるように設定し得る。リブ１３７は、拡張領域上に締まり嵌めを設けることなく、ノズル要素１３０と受取部１４０との間の確実な機械的嵌合が容易にすることができ、その結果、ノズル要素１３０を本体１１０に嵌合するときにユーザがかける力を制限することができる。
【００３０】
図６に示すのは、別の典型的な呼吸装置６００の部分断面図である。典型的な呼吸装置６００は、前述した人工呼吸器装置１００の特徴部と同様の特徴部を含み、本体６１０の部品と嵌合する第１の端部６７１を含むエラストマースリーブ６７０を有する。
【００３１】
典型的な実施形態では、エラストマースリーブ６７０は、第１の端部部分６７１、第２の端部部分６７２、外面６７３、及び部分的に経路６４７を画定する内面６７４を含む。第１の端部部分６７１は本体１１０の部品と嵌合する。典型的な実施形態では、外面６７３は、例えば、本体６１０によって画定された内部空間内で第１のチャンバ６１６を第２のチャンバ６１７から分ける１つ又は複数の内壁に直接又は間接的に接触する。
【００３２】
エラストマースリーブ６７０の少なくとも一部は、浮遊しているかそうでなければ外向きの弾性変形又は広がりを抑制する剛性部品と直接接触していない。典型的な実施形態では、エラストマースリーブ６７０は、外向きの弾性変形又は広がりを抑制し得る剛性部品によって裏打ちされていない中間部分６７７を含む。スペース６７８は、中間部分６７７と近接する外面６７３に隣接して存在する。エラストマースリーブ６７０の少なくとも一部が剛性部品によって裏打ちされていないことで、エラストマースリーブは湾曲及び／又は関節運動することができる。そのため、エラストマースリーブ６７０はノズル要素６３０の動きを追跡又は追従することができ、本体６１０とフィルタカートリッジ６２０との間で相対運動が可能であるにもかかわらず、堅固なシールが維持され得る。
【００３３】
エラストマースリーブ６７０は、フィルタカートリッジ６２０が受取部６４０内に挿入されたときに、ノズル要素６３０の外面６３３と合致することができる。典型的な実施形態では、相対的に大きいノズル要素６３０を相対的に小さいエラストマースリーブ６７０内に挿入すると、エラストマースリーブ６７０はノズル要素６３０の外面６３３の周りで弾力的に変形又は広がる。典型的な実施形態では、エラストマースリーブが広がって、中間部分６７０における外面６７３の周縁部（ｐ）及び／又は内面６７４によって画定される断面積（ａ）が、ノズル要素１３０がエラストマースリーブ６７０内に配置されたときに、ノズル要素６３０がエラストマースリーブ６７０内に配置されていないときと比べて大きくなる。
【００３４】
エラストマースリーブ６７０の弾性変形又は広がりがノズル要素６３０の周りで生じると、エラストマースリーブをその中立状態に復元するように作用する復元力が発生する。このような力によって、エラストマースリーブ６７０はノズル要素６３０の外面６３３の周りで固定され、エラストマースリーブ６７０と外面６３３との間の連続接触が促進される。
【００３５】
典型的な実施形態では、エラストマースリーブ６７０の広がりが、エラストマースリーブ６７０の少なくとも一部が本体６１０の剛性部品と接触していない状態で生じると、エラストマースリーブ６７０の周りに応力が発生するが、これは圧縮が、例えば、エラストマースリーブがノズル要素６３０と本体６１０の剛性部品との間で圧縮された場合に生じ得るのとは対照的である。典型的な実施形態では、エラストマースリーブ６７０は、ノズル要素６３０が受取部６４０と嵌合したときにフープ応力を示す。いくつかの典型的な実施形態では、エラストマースリーブ６７０の一部が、空気流軸（ｘ）及びエラストマースリーブ６７０の径方向の厚さ（ｙ）の両方に垂直な方向（ｚ）に応力を受けると説明することができる。
【００３６】
本明細書で開示するエラストマースリーブを有する人工呼吸器装置によって、いくつかの特徴及び利益が得られる。エラストマースリーブの少なくとも一部が浮遊しているかそうでなければ外向きの広がりを抑制する剛性部品と直接接触していないことで、呼吸保護装置のノズル要素と本体との間にシールを形成するときに著しい利益が得られる。エラストマースリーブは湾曲及び関節運動することができ、その結果、たとえノズル要素が受取部に対して動くか又は関節運動しても、ノズル要素とのシール接触が維持され得る。更に、本明細書で開示するエラストマースリーブによって、ユーザにより必要とされる挿入力を最小にしながら十分なシールがもたらされる。フィルタカートリッジを受取部内に容易に挿入して、回転なしに確実な接続を作り出すことができる。エラストマースリーブをノズル要素の周りで広がらせるために挿入中にユーザがもたらす力は、例えば、シーリング要素を剛性裏打ち部品に対して圧縮することによってシールを形成した場合に必要な力と比べて最小にすることができる。
【００３７】
本発明をその複数の実施形態を参照して説明してきた。前述の発明を実施するための形態及び実施例は、単に理解を明瞭にするために示している。そこから不必要な限定が何らなされることはない。本発明の範囲から逸脱することなく、記載された実施形態において多くの変更を行うことができることが、当業者には明白であろう。したがって、本発明の範囲は、本明細書で説明した厳密な詳細及び構造に限定すべきではなく、むしろ請求項の言葉で説明されている構造及びこれらの構造の均等物によって限定すべきである。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。
以下、本発明の好ましい態様について説明する。
〔態様１〕
エラストマースリーブを有する受取部を含む本体と、
外面を有する剛性ノズル要素と、を含み、
前記エラストマースリーブは経路を画定し、前記エラストマースリーブは、前記ノズル要素が前記経路内に挿入されると前記ノズル要素の前記外面の周りで変形するように構成されている、人工呼吸器装置。
〔態様２〕
フィルタカートリッジを更に含み、前記剛性ノズル要素は前記フィルタカートリッジに結合している、態様１に記載の人工呼吸器装置。
〔態様３〕
エラストマースリーブは内面及び前記内面と反対側の外面を含み、前記内面は前記経路を画定し、前記外面の少なくとも一部は剛性部品と接触していない、態様１に記載の人工呼吸器装置。
〔態様４〕
前記ノズル要素が前記経路内に挿入されると前記エラストマースリーブはフープ応力を受ける、態様１に記載の人工呼吸器装置。
〔態様５〕
前記エラストマースリーブは、空気流軸及び前記エラストマースリーブの径方向の厚さに垂直な方向に応力を受ける、態様１に記載の人工呼吸器装置。
〔態様６〕
前記エラストマースリーブは第１の端部部分及び第２の端部部分を有し、前記第１の端部部分は浮遊端部である、態様１に記載の人工呼吸器装置。
〔態様７〕
前記エラストマースリーブは第１の端部部分及び第２の端部部分を有し、前記本体は、前記本体の内部空間の第１のチャンバと第２のチャンバとを分ける内壁を含み、前記エラストマースリーブの前記第１の端部部分は前記内壁と接触する、態様１に記載の人工呼吸器装置。
〔態様８〕
前記エラストマースリーブは第１の端部部分及び第２の端部部分を有し、前記第２の端部部分は前記本体とシール状態で嵌合する、態様１に記載の人工呼吸器装置。
〔態様９〕
前記エラストマースリーブは、周縁部（ｐ）を有する外面を含み、前記ノズル要素が前記経路に挿入されると周縁部（ｐ）は大きくなる、態様１に記載の人工呼吸器装置。
〔態様１０〕
前記エラストマースリーブは、第１の端部と、第２の端部と、周縁部（ｐ）を有する外面と、を含み、前記周縁部（ｐ）は、前記第１と第２の端部との間で変化する、態様１に記載の人工呼吸器装置。
〔態様１１〕
前記エラストマースリーブによって画定された前記経路は、内面の周縁部の周りにリブを含む、態様１に記載の人工呼吸器装置。
〔態様１２〕
前記エラストマースリーブは熱硬化性材料で作製されている、態様１に記載の人工呼吸器装置。
〔態様１３〕
前記エラストマースリーブはシリコーンで作製されている、態様１に記載の人工呼吸器装置。
〔態様１４〕
前記エラストマースリーブは、射出成形性（高圧又は低圧）エラストマーからなる群から選択される材料で作製されている、態様１に記載の人工呼吸器装置。
〔態様１５〕
前記エラストマースリーブの長手方向の長さ（ｌ）は６ｍｍ〜１２ｍｍである、態様１に記載の人工呼吸器装置。
〔態様１６〕
前記エラストマースリーブの壁厚（ｔ）は０．５ｍｍ〜２ｍｍである、態様１に記載の人工呼吸器装置。
〔態様１７〕
前記本体はハーフマスク本体である、態様１に記載の人工呼吸器装置。
〔態様１８〕
前記本体はフルマスク本体である、態様１に記載の人工呼吸器装置。
〔態様１９〕
前記本体は頭部装着型人工呼吸器装置本体である、態様１に記載の人工呼吸器装置。
〔態様２０〕
前記本体は動力付き空気人工呼吸器装置のハウジングである、態様１に記載の人工呼吸器装置。
〔態様２１〕
フィルタカートリッジ受取部と、経路を画定する内面及び外面を有するエラストマースリーブと、を含む本体と、
外面を有する剛性ノズル要素を含むフィルタカートリッジと、を含み、
前記エラストマースリーブの前記外面の少なくとも一部は剛性部品と接触せず、前記エラストマースリーブは、前記ノズル要素が前記経路内に挿入されると前記ノズル要素の前記外面の周りで広がるように構成されている、人工呼吸器装置。
【図１】
0006549118.tif 000002
【図２】
0006549118.tif 000003
【図３】
0006549118.tif 000004
【図４】
0006549118.tif 000005
【図５】
0006549118.tif 000006
【図６】
0006549118.tif 000007